(57)【要約】【課題】外周面の全面に植え付けられた草花植物が繁茂して外周面を覆い大型草花造形物としての外観と美観を発揮する立体型植栽構造物を提供する。【解決手段】複数の育苗ポットを植え付け可能な孔あき構造の外壁材を組み合わせて壁状又は柱状の中空構造物が構築され、中空構造物の内面に沿って不織布等の培土保持シート材が張られ、その内側に樹皮等の培土が充填されており、外壁材の孔を通じて、植物を植え付けた育苗ポットが培土中に植え込まれている。【選択図】図２
2004344043.tif 000002
【特許請求の範囲】
【請求項１】
大規模草花造形物に値する背の高さを有し、その外周面へ、苗木及び培土を充填した育苗ポットを植え付けて成る立体型植栽構造物であって、
複数の育苗ポットを植え付け可能な孔あき構造の外壁材を組み合わせて壁状又は柱状の中空構造物が構築され、
前記中空構造物の内面に沿って不織布等の培土保持シート材が張られ、その内側に樹皮等の培土が充填されており、
前記外壁材の孔を通じて、植物を植え付けた育苗ポットが前記培土中に植え込まれていることを特徴とする、立体型植栽構造物。
【請求項２】
中空構造物の内部に、散水用の給水パイプが立ち上げられ、その上端の散水ノズルが培土上方に位置され、前記給水パイプは給水手段と接続されていることを特徴とする、請求項１に記載した立体型植栽構造物。
【請求項３】
中空構造物の底部には培土を支える通水性のシート類が設置されていることを特徴とする、請求項１又は２に記載した立体型植栽構造物。
【発明の詳細な説明】
【０００１】
【発明の属する技術分野】
この発明は、外周面の全面に草花植物が植え付けられ、草花植物が繁茂して外周面を覆い、大型草花造形物（フラワーモニュメント）としての外観と美観を発揮する立体型植栽構造物に関する。
【０００２】
【従来の技術】
従来、立体的に植物を植え付ける提案が幾つか開示されている。
例えば、特許文献１の発明に係る「立体型プランター」は、図７に示すように、植木鉢５０の培土の上に立設されたプランターである。中空部５１内に培土を入れることができる筒状体５２を備え、外部から内部へ種子を植え込んだり植物を植える植え込み孔５３が複数設けられている。よって、少スペースでも配置を工夫して植物を立体的且つ装飾的な植え込みを実現することができる。
【０００３】
また、特許文献２の発明に係る「竹製栽培バスケット」は、竹材を組み合わせた所謂ハンギングバスケットである。上方に開口した主栽培部が形成され、その側面にも上方に開口したポケット状栽培部が形成されているので、主栽培分だけでなく、ポケット状栽培部にも多くの植物を立体的に植えることができる。また、ハンギングバスケットを複数配置して、フラワータワーやフラワーウォール等の大型植栽構造物を構築することもなされている。
【０００４】
特許文献３の発明に係る「立体プランター」は、壁面を緑化するための大型の植栽構造物である。格子体に繊維マットを取り付けて、当該格子体に保持され１個の立体プランターを作る。更に散水用の小穴を設けた給水パイプを当該格子網に沿って取り付けて１個の立体プランターを構成し、この立体プランターを単独に或いは多数連結してグリーンパネルを構成する。
【０００５】
【特許文献１】
特開平８−２８９６６９号公報
【特許文献２】
特開２０００−２０９９５２号公報
【特許文献３】
特開２００２−３３０６３１号公報
【０００６】
【発明が解決しようとする課題】
しかし、特許文献１に開示された「立体型プランター」は、植木鉢５０の上に載置する程度のもので規模が小さい。
【０００７】
また、特許文献２に開示された「竹製栽培バスケット」は、一単位のものは窓際に掛けて飾る程度に小形である。これを複数集合させてフラワータワーやフラワーウォール等の大型植栽構造物を構築することも可能であるが、そのためには予め綿密な設計に基づいて実施しなければならないため、時間や熟練した技術が求められる。
【０００８】
特許文献３に開示されている「立体プランター」は、大型の植栽構造物を構築することが可能である。しかし、格子体に取付けられる繊維マットには予め、植物の種子や、球根、苗等を含んだものを材料として使用しているため、芽が出て根を張り草花が繁茂するまでには時間がかかるだけでなく、植え込む植物の種類も決まってくる。また、植物の枯れ等の不都合が生じた場合は、繊維マットの全体を交換しなければならず、フラワーモニュメントとしての存在感と意義に乏しく、コスト性が悪い等の問題点がある。更に、組み立て作業には専門的な技術を要するため、家庭などで誰でもが容易に実施することは難しい。
【０００９】
本発明の目的は、大型草花造形物（フラワーモニュメント）に値する背の高さと規模を有し、孔あき構造に形成された市販の外壁材を壁状又は柱状に組み立て、中空構造物の内部に培土を充填し、前記外壁材の孔へ育苗ポットを複数植え込む簡易な方法で、フラワーモニュメントと呼べる大規模な立体型植栽構造物を低コストで簡易に実現することにある。
【００１０】
本発明の次の目的は、塔型のフラワータワー又は長い壁状のフラワーウォールなどとして自由なデザインを容易に楽しむことができる立体型植栽構造物を提供することにある。
【００１１】
【課題を解決するための手段】
上記した従来の技術を解決する手段として、請求項１に記載した発明に係る立体型植物ポールは、
大規模草花造形物に値する背の高さを有し、その外周面へ、苗木及び培土を充填した育苗ポットを植え付けて成る立体型植栽構造物であって、
複数の育苗ポットを植え付け可能な孔あき構造の外壁材を組み合わせて壁状又は柱状の中空構造物が構築され、
前記中空構造物の内面に沿って不織布等の培土保持シート材が張られ、その内側に樹皮等の培土が充填されており、
前記外壁材の孔を通じて、植物を植え付けた育苗ポットが前記培土中に植え込まれていることを特徴とする。
【００１２】
請求項２記載の発明は、請求項１に記載した立体型植物ポールにおいて、
中空構造物の内部に、散水用の給水パイプが立ち上げられ、その上端の散水ノズルが培土上方に位置され、前記給水パイプは給水手段と接続されていることを特徴とする。
【００１３】
請求項３記載の発明は、請求項１又は２に記載対立体型植物ポールにおいて、
中空構造物の底部には培土を支える通水性のシート類が設置されていることを特徴とする。
【００１４】
【発明の実施形態及び実施例】
以下に、図面を参照して、請求項１〜３に記載した発明に係る立体型植栽構造物の実施形態を説明する。
【００１５】
本発明の立体型植栽構造物１は、図１〜５に示すように、大規模な草花造形物（フラワーモニュメント）に値する程度の背の高さを有し、その建材としては市販されている孔あき構造の外壁材４を使用する。当該外壁材４、４同士を壁状又は柱状の中空構造物５に組み立て、その中空構造物５の内部へ培土８を充填し、前記外壁材４の外周面の全面へ育苗ポット３により草花植物２の苗を植え付けて構成される。前記草花植物２が繁茂して中空構造物５の外周面の全面を覆うことにより、大規模草花造形物（フラワーモニュメント）としての外観、美観が実現する。
【００１６】
前記外壁材４には、一般に商品名を「ラティス」（登録商標）と称して市販されている、育苗ポット３を植え付け可能な大きさのマス目を有する孔あき構造の外壁材４を好適に使用できるが、外壁材４の材質・構造に関しては、例えばプラスチック製、金属製のネット構造、孔あき構造のパイプ材、更にはプラスチック又は金属又はコンクリート製の孔あき構造板などを使用することができる。前記外壁材４を単独で、又は複数枚繋ぎ合わせて、大規模草花造形物（フラワーモニュメント）に値する程度の高さに壁体を構築する。図１では、例えば１．８〜５ｍ程度の高さｈを有するように構築されている。
【００１７】
前記構成の外壁材４は、図２に示すように、中空構造５の前後左右の四辺に配置し、水平方向に長い壁体状又は高さ方向に伸びる柱体状に組み合わせる。中空構造物５の四隅は、外壁材４と略同じ高さを有するコーナー材６で外壁材４同士を一体的に接合して中空構造物５が構築される。図２に示す例では、コーナー材６は中空構造物５の隅部を形成するアングル形状とされている。このコーナー材６と各辺の外壁材４とは、釘打ち等の手段で接合される。勿論、釘打ち接合の限りでなく、ボルト止め、リベット止め或いはステープル止め等々の手段を実施できる。
【００１８】
図１〜５では、フラワーポールとして使用される柱体状の実施形態を示しているが、壁体状の場合は、図６に示すように、長手方向（水平方向）前後する外壁材４同士を必要枚数つなぎ合わせて壁体状に構築することができる。その実施場所としては、例えば戸建ての住宅の塀に代わるものとして、或いは遊園地などでフラワーウォールの迷路などとして実施できる。
【００１９】
上記のように構築された中空構造物５には、図３、図４に示すように、その内面に沿って不織布等の培土保持シート材７が張られている。前記培土保持シート材７に不織布等のみならず、適度な強度を有するシートであれば良い。例えば、ポリエチレンやビニール、麻等も使用可能である。前記培土保持シート材７は、その内側へ充填される培土８が孔あき構造の外壁材４を通じてこぼれ出ることを防止するだけでなく、太陽光が培土８に直接当たらないように遮る遮光特性を発揮し、雑草等の成長を阻んで草花植物２の成長を促進し、雑草の除草作業を低減することを期待できる。この培土保持シート材７は、やはりステープル等で中空構造物５に打ち付けて固定される。
【００２０】
前記培土保持シート材７に囲まれた内側には、通気性、通水性の良い樹皮等の培土８が充填されている。充填する培土８として、具体的にはタケダ園芸（株）が販売する「モスライト」（登録商標）と称される軽量培土や、杉や檜等の樹皮培土等を使用するのが好適である。
【００２１】
上記のように構築した中空構造物５の外周面には、その全面に孔あき構造の外壁材４を利用して、図１、図４に示すように、そのマス目（孔４ａ）を通じて、草花植物２を植え付けた多数の育苗ポット３が、適度な間隔をあけた配置で培土８の中へ植え込まれる。前記育苗ポット３は、例えば、意匠登録第１０７２２３９号公報に開示し或いは、特願２００３−４９０８４に提案したように、下端部が尖った錐形状の筒体を垂直方向に二分したに等しい２個の分割部材の組合せでなる形態の育苗ポットを使用する。前記育苗ポット３に植え付ける草花植物２としては、中空構造物５の外周面を覆うことに適する性質のもの、例えばサフィニア、タピアン、ハナデマリ等の垂系植物が好適に充填される。
【００２２】
植え込み作業においては、中空構造物５の内壁面に沿って張られた前記培土保持シート材７に向かって、育苗ポット３と同形、同大の穴をあけ治具を突き刺し当該シート材７を突き破るかたちで穴を掘り、そこへ育苗ポット３を植え込むという非常に簡単な作業で行われる。そのため、育苗ポット３の植物が枯れた等の不都合が生じても、当該育苗ポット３のみを交換すればよいため、植物のメンテナンスが容易となる。また、植え込む際に上向き角度θを設けて育苗ポット３の抜け落ちを防止させる。
【００２３】
上記のようにして、簡易な構成と手法で大型草花造形物（フラワーモニュメント）に値する大規模な立体植栽構造物１を構築できる。したがって、一般家庭等においてもガーデニングの趣味を有する人々が立体型植栽構造物１を自由なデザイン設計で構築して楽しむことができる。勿論、解体や改造なども容易に実施することができる。また、使用される外壁材４、培土８等の資材は低コストで容易に購入できるという利点がある。勿論、花の色や種類等を工夫して配置して装飾性、色彩に富むように実施するのが好ましい。
【００２４】
上記中空構造物５の内部に、図３の断面図に示すように、散水用の給水パイプ９が立ち上げられ、その上端に備えられた散水ノズル１０（スプリンクラー）を充填された培土８の上面上方に位置するように設置するのが好ましい。前記の給水パイプ９は水道線等の給水手段１１と接続する（請求項２記載の発明）。かくすると、育苗ポット３の一つ一つ個別に水をやる必要はなく、手の届かないほど高い立体型植栽構造物への水やり潅水を極めて容易に行うことができる。
【００２５】
この立体型植栽構造物１全体を移動させたり持ち運んだりする場合を考慮して、培土８を支えるために、図３、図４に示すように、中空構造物５の底部に通水性に富むネット又はシート類１２を設けることも好ましい（請求項３記載の発明）。前記シート類１２は、上述した培土保持シート材７の両下端部及び中空構造物５とステープル等で一体的に繋ぎ合わせるほか、必要に応じて支え材１３を１乃至複数本取り付けるのが好ましい。
【００２６】
以上に実施形態を図面に基づいて説明したが、本発明は、図示例の限りでははく、その技術的思想を逸脱しない範囲において、当業者が通常に行う設計変更、応用のバリエーションの範囲の含むことを念のため言及する。例えば、立体型植栽構造物１の形状は、円形状、円錐形状、三角錐形状等状況に応じて自由なデザインを容易に楽しむことができる。
【００２７】
【発明の効果】
請求項１〜３に記載した発明に係る立体型植栽構造物によれば、大型草花造形物に値する高さを有し、孔あき構造に形成された市販の外壁材を壁状又は柱状に組み立て、中空構造物の内部に培土を充填し、前記外壁材の孔へ育苗ポットを複数植え込む簡易な方法で、フラワーモニュメントと呼べるような立体型植栽構造物を低コストで簡易に実現する。また、柱型のフラワーポール又は長い壁状のフラワーウォールなどとして自由なデザインを容易に楽しむことができる。
【図面の簡単な説明】
【図１】本発明に係る立体型植栽構造物の中空構造物を概略的に示した斜視図である。
【図２】補強材が外壁材の四隅を固定する状態を概略的に示した図である。
【図３】本発明に係る立体型植栽構造物の断面図を示した図である。
【図４】本発明に係る立体型植栽構造物の拡大断面図を示した図である。
【図５】外壁材の外周面を覆うように草花植物を植え付けた状態を示した斜視図である。
【図６】立体型植栽構造物を壁状に形成して緑壁をして実施する一例を示した概略図である。
【図７】従来の立体型プランターを概略的に示した斜視図である。
【符号の説明】
１            立体型植栽構造物
２            苗木
３            育苗ポット
４            外壁材
４ａ          孔
５            中空構造物
７            培土保持シート材
９            給水パイプ
１０            散水ノズル
１１            給水手段
１２            シート類
【図１】
2004344043.tif 000003
【図２】
2004344043.tif 000004
【図３】
2004344043.tif 000005
【図４】
2004344043.tif 000006
【図５】
2004344043.tif 000007
【図６】
2004344043.tif 000008
【図７】
2004344043.tif 000009